(57)【要約】【課題】静音化を図り、かつ便器洗浄を良好に行うことができる便器洗浄装置を提供する。【解決手段】便器洗浄装置は水洗式便器に給水路１を介して洗浄水を供給する。洗浄水を貯留し、貯留した洗浄水が下流側に連通する給水路１へ流出する排水口１５を有したタンク１０と、排水口１５から洗浄水を排水する初期段階は洗浄水を少ない流量で排水し、タンク１０内の洗浄水の水位低下が作用して排水口１５から排水する洗浄水の流量を多くする排水装置３０を備えている。【選択図】図１
2014066120.tif 000002
【特許請求の範囲】
【請求項１】
水洗式便器に給水路を介して洗浄水を供給する便器洗浄装置であって、
前記洗浄水を貯留し、貯留した前記洗浄水を下流側に連通する前記給水路へ流出する排水口を有したタンクと、
前記排水口から前記洗浄水を排水する初期段階は前記洗浄水を少ない流量で排水し、前記タンク内の前記洗浄水の水位低下が作用して前記排水口から排水する前記洗浄水の流量を多くする排水装置を備えていることを特徴とする便器洗浄装置。
【請求項２】
前記排水装置は、
上下動して前記排水口を開閉する排水弁と、
前記排水口から前記洗浄水を排水する初期段階は下降せず、前記タンク内の前記洗浄水の水位が設定水位以下になると下降を開始する錘部材と、
一方の端部に前記排水弁を連結し、他方の端部に前記錘部材を連結した連結具と、
この連結具の両端を両側に垂下させ、前記排水弁と前記錘部材とを吊下げ状態に支持する支持具とを具備していることを特徴とする請求項１記載の便器洗浄装置。
【請求項３】
前記錘部材は、
底面部と、この底面部から立ち上がった側面部と、下部に設けた内外を連通する小孔と、上部で開口した上部開口とを有しており、
最も上昇した上昇位置において、前記上部開口が前記タンク内の前記洗浄水の最高水位よりも下方に開口して、前記洗浄水が流入し、
下降途中から最も下降した下降位置において、前記小孔から前記洗浄水が流出することを特徴とする請求項２記載の便器洗浄装置。
【請求項４】
前記排水装置は、前記支持具を上下動させる移動装置を具備しており、
前記錘部材が前記下降位置で停止した状態で前記移動装置が前記支持具を下降させることによって、前記排水弁が前記排水口を閉鎖することを特徴とする請求項２又は３記載の便器洗浄装置。
【請求項５】
前記移動装置は、前記支持具に連結しており、前記タンク内の前記洗浄水の水位変化に応動するフロート部材を有していることを特徴とする請求項４記載の便器洗浄装置。
【請求項６】
前記移動装置は、下孔を貫設した底面部と、この底面部から立ち上がった側面部と、前記タンク内の前記洗浄水の水位の変化に応動して前記下孔を開閉するフロート弁とを有し、上端開口から前記フロート部材を挿入して収納した容器を備えており、
前記容器内に前記洗浄水が流入して、前記フロート部材が上昇し、前記支持具と前記錘部材とが上昇することを特徴とする請求項５記載の便器洗浄装置。
【請求項７】
前記排水装置は前記錘部材の前記下降位置を規定する下ストッパーを具備していることを特徴とする請求項４乃至６のいずれか１項記載の便器洗浄装置。
【請求項８】
前記排水弁は、
外周面に外側に突出する凸部を有し、下端にシール面を形成した外形が円柱状の弁体と、
下辺が緩やかに上方向に傾斜した第１上昇溝、この第１上昇溝の一端部から連続して上方向に延びた第２上昇溝、及びこの第２上昇溝の上端部に連続して前記第１上昇溝の他端部に延びて連続した下降溝とを内周面に有し、前記第１上昇溝、第２上昇溝、下降溝の順に前記凸部が嵌合した状態で移動するように前記弁体の周囲に配置した円筒状のガイド部材とを具備していることを特徴とする請求項２乃至７のいずれか１項記載の便器洗浄装置。
【請求項９】
前記第２上昇溝は斜めに傾斜して延びており、前記下降溝は鉛直方向に延びていることを特徴とする請求項８記載の便器洗浄装置。
【発明の詳細な説明】
【技術分野】
【０００１】
本発明は便器洗浄装置に関する。
【背景技術】
【０００２】
特許文献１の図４には従来の便器洗浄装置が開示されている。この便器洗浄装置は、洗浄水を貯留し、貯留した洗浄水を排水する排水口を有したタンクと、排水口を開閉する開閉弁とを備えている。排水口は下流側に給水路を連通している。この便器洗浄装置は給水路を介して洗浄水を水洗式便器に供給する。開閉弁は同じ回転軸を中心に回動する親弁と子弁とで構成されている。親弁は子弁と共に回動して排水口を開閉する。親弁は排水口より開口面積が小さい開口部を設けている。子弁は単独で回動して親弁に設けた開口部を開閉する。子弁は開放操作用の線材を連結している。子弁と親弁とは線材で連結されている。
【０００３】
この便器洗浄装置は、便器洗浄を実行する際、子弁に連結した線材を引き上げる。すると、先ず、子弁が上昇して親弁の開口部を開放する。これによって、洗浄水が少ない流量（流量とは単位時間当たりに流れる洗浄水量をいう。以下同じ。）で排水口から排水され、給水路に流出する。この際、給水路内の残留水及び残留空気が水洗式便器内へ押し出される。その後、子弁に連結した線材をさらに引き上げると、子弁と親弁とを連結した線材が引き上げられ、親弁が上昇して排水口を開放する。これによって、排水口から排水される洗浄水の流量が多くなる。この時点では、給水路内の残留水及び残留空気は水洗式便器内へ押し出されているため、流量の多い洗浄水が給水路内を流れて水洗式便器内に吐水されることによって生じる騒音を軽減することができる。
【先行技術文献】
【特許文献】
【０００４】
【特許文献１】特許第３９２５２１４号公報
【発明の概要】
【発明が解決しようとする課題】
【０００５】
しかし、上記した従来の便器洗浄装置は、子弁に連結した線材の引上げ速度によって、子弁及び親弁の引上げタイミングが変動する。つまり、子弁のみが引き上げられ、流量の少ない洗浄水が排水口から排水される時間が変動する。流量の少ない洗浄水が排水口から排水される時間が短いと、給水路内の残留水及び残留空気を充分に水洗式便器内に押し出すことができず、流量の多い洗浄水が給水路内を流れて水洗式便器内に吐水されることによって生じる騒音を軽減することができないおそれがある。また、流量の少ない洗浄水が排水口から排水される時間が長いと、給水路内の残留水及び残留空気を確実に押し出すことができるが、流量の多い洗浄水が排水口から排水され、給水路を介して水洗式便器に吐水される洗浄水量が少なくなり、便器洗浄を良好に行うことができないおそれがある。
【０００６】
本発明は、上記従来の実情に鑑みてなされたものであって、静音化を図り、かつ便器洗浄を良好に行うことができる便器洗浄装置を提供することを解決すべき課題としている。
【課題を解決するための手段】
【０００７】
本発明の便器洗浄装置は、水洗式便器に給水路を介して洗浄水を供給する便器洗浄装置であって、
前記洗浄水を貯留し、貯留した前記洗浄水が下流側に連通する前記給水路へ流出する排水口を有したタンクと、
前記排水口から前記洗浄水を排水する初期段階は前記洗浄水を少ない流量で排水し、前記タンク内の前記洗浄水の水位低下が作用して前記排水口から排水する前記洗浄水の流量を多くする排水装置を備えていることを特徴とする。
【０００８】
この便器洗浄装置は、タンクの排水口から洗浄水を排水する初期段階において、洗浄水を少ない流量でし、給水路内の残留水及び残留空気を押し出す。このため、その後に流量の多い洗浄水を排水口から排水しても給水路内を流れて水洗式便器内に吐水されることによって生じる騒音を軽減することができる。
【０００９】
また、この便器洗浄装置は、初期段階に排水口から洗浄水を少ない流量で排水することによって生じるタンク内の洗浄水の水位低下が作用して排水口から排水する洗浄水の流量を多くする。このように、タンク内の洗浄水の水位が設定水位になるまで洗浄水を少ない流量で排水口から排水する。このため、初期段階に少ない流量で排水口から排水する洗浄水量を常に一定にすることができる。このため、その後に多い流量で排水口から排水する洗浄水量も常に一定にすることができる。よって、初期段階で少ない流量の洗浄水で排水口から洗浄水を排水することによって、給水路内の残留水及び残留空気を確実に押し出すことができ、その後に多い流量で洗浄水を排水口から洗浄水を排水することによって、便器洗浄を良好に行うことができる。
【００１０】
したがって、本発明の便器洗浄装置は、静音化を図り、かつ便器洗浄を良好に行うことができる。
【図面の簡単な説明】
【００１１】
【図１】実施例１の便器洗浄装置であって、便器洗浄の待機状態を示す断面図である。
【図２】実施例１の便器洗浄装置であって、便器洗浄開始段階を示す断面図である。
【図３】実施例１の便器洗浄装置であって、洗浄初期段階を示す断面図である。
【図４】実施例１の便器洗浄装置であって、大流量排水段階を示す断面図である。
【図５】実施例１の便器洗浄装置であって、便器洗浄終了段階を示す断面図である。
【図６】実施例１の便器洗浄装置であって、洗浄水貯留段階の初期を示す断面図である。
【図７】実施例１の便器洗浄装置であって、洗浄水貯留段階で支持部材及びフロート部材が上昇する様子を示す断面図である。
【図８】実施例１の便器洗浄装置であって、洗浄水貯留段階で錘部材に洗浄水が流入する様子を示す断面図である。
【図９】実施例２の便器洗浄装置であって、便器洗浄の待機状態を示す断面図である。
【図１０】実施例２の便器洗浄装置であって、便器洗浄開始段階を示す断面図である。
【図１１】実施例２の便器洗浄装置であって、洗浄初期段階を示す断面図である。
【図１２】実施例２の便器洗浄装置であって、大流量排水段階を示す断面図である。
【図１３】実施例２の便器洗浄装置であって、便器洗浄終了段階を示す断面図である。
【図１４】実施例２の便器洗浄装置であって、洗浄水貯留段階で支持部材及びフロート部材が上昇する様子を示す断面図である。
【図１５】実施例２の便器洗浄装置であって、洗浄水貯留段階で錘部材に洗浄水が流入する様子を示す断面図である。
【図１６】他の実施例を示す便器洗浄装置の断面図である。
【発明を実施するための形態】
【００１２】
本発明における好ましい実施の形態を説明する。
【００１３】
前記排水装置は、上下動して前記排水口を開閉する排水弁と、前記排水口から前記洗浄水を排水する初期段階は下降せず、前記タンク内の前記洗浄水の水位が設定水位以下になると下降を開始する錘部材と、一方の端部に前記排水弁を連結し、他方の端部に前記錘部材を連結した連結具と、この連結具の両端を両側に垂下させ、前記排水弁と前記錘部材とを吊下げ状態に支持する支持具とを具備し得る。
【００１４】
この場合、排水口から洗浄水を排水する初期段階は、錘部材が下降せず、便器洗浄装置は洗浄水を少ない流量で排水口から排水する。その後、タンク内の洗浄水の水位が設定水位以下になると錘部材が下降を開始するため、排水弁が連結具によって引き上げられ、排水口を開放し、便器洗浄装置は排水口から排水する洗浄水の流量を多くする。このように、この便器洗浄装置は、タンク内の洗浄水の水位低下が作用して（タンク内の洗浄水の水位が設定水位以下になると）、排水口から排水する洗浄水が少ない流量から多い流量に変化する。タンク内の洗浄水の水位によって、排水口から排水する洗浄水を少ない流量から多い流量に変化させるため、各流量における排水口から排水する洗浄水量の夫々を毎回の便器洗浄において同じにすることができる。このため、このため、給水路内の残留水及び残留空気を確実に押し出すことができ、流量の多い洗浄水で便器洗浄を良好に行うことができる。
【００１５】
前記錘部材は、底面部と、この底面部から立ち上がった側面部と、下部に設けた内外を連通する小孔と、上部で開口した上部開口とを有しており、最も上昇した上昇位置において、前記上部開口が前記タンク内の前記洗浄水の最高水位よりも下方に開口しており、前記上部開口から前記洗浄水が流入し、下降途中から最も下降した下降位置において、前記小孔から前記洗浄水が流出し得る。
【００１６】
この場合、便器洗浄を待機している状態では、錘部材は、洗浄水を貯留した状態で、タンク内に貯留した洗浄水内に水没している。このため、便器洗浄を実行して、タンク内の洗浄水の水位が設定水位以下になると、洗浄水の水圧による排水弁を下方に押さえ付けている力が錘部材の重量よりも小さくなる。これによって、錘部材が下降し、排水弁が引き上げられ、排水口を開放することができる。また、錘部材は、下降途中から下降位置において貯留した洗浄水を小孔から流出し、重量が軽くなる。このため、排水弁が排水口を閉鎖した状態を維持したまま、連結具によって錘部材を上昇位置に引き上げることができる。
【００１７】
前記排水装置は、前記支持具を上下動させる移動装置を具備しており、前記錘部材が前記下降位置で停止した状態で前記移動装置が前記支持具を下降させることによって、前記排水弁が前記排水口を閉鎖し得る。この場合、移動装置によって支持具が下降すると、錘部材が下降位置で停止した状態で、連結具の錘部材の反対側に連結した排水弁が下降し、排水口を閉鎖することができる。
【００１８】
前記移動装置は、前記支持具に連結しており、前記タンク内の前記洗浄水の水位変化に応動するフロート部材を有し得る。この場合、タンク内の洗浄水の水位が下降すると、フロート部材及び支持具が下降するため、排水弁が下降して排水口を閉鎖することができる。また、排水弁が排水口を閉鎖した状態で、タンク内の洗浄水の水位が上昇すると、フロート部材及び支持部材が上昇するため、錘部材を下降位置から上昇位置に上昇させることができる。
【００１９】
前記移動装置は、下孔を貫設した底面部と、この底面部から立ち上がった側面部と、前記タンク内の前記洗浄水の水位の変化に応動して前記下孔を開閉するフロート弁とを有し、上端開口から前記フロート部材を挿入して収納した容器を備えており、前記容器内に前記洗浄水が流入して、前記フロート部材が上昇し、前記支持具と前記錘部材とが上昇し得る。
【００２０】
この場合、排水弁が排水口を閉鎖してタンク内の洗浄水が上昇する過程において、容器の底面部に貫設した下孔はフロート弁によって閉鎖される。このため、容器内に流入する洗浄水のほとんどが容器の上端開口から流入する。容器の上端開口から洗浄水が流入し、フロート部材が上昇する際には、容器の上端位置までタンク内の洗浄水の水位が上昇しているため、タンク内に貯留した洗浄水の水圧が排水口を閉鎖している排水弁を下方に押さえ付ける力が大きくなっている。この状況において、フロート部材の上昇と共に支持具が上昇すると、連結具の一方の端部に連結した排水弁が上昇することなく、連結具の他方の端部に連結した錘部材を下降位置から上昇位置に上昇させることができる。
【００２１】
前記排水装置は前記錘部材の前記下降位置を規定する下ストッパーを具備し得る。この場合、錘部材が下ストッパーによって下降位置に停止する。この状態で、支持具が下降することによって、連結具の一方の端部に連結した排水弁が下降して排水口を閉鎖させることができる。
【００２２】
前記排水弁は、外周面に外側に突出する凸部を有し、下端にシール面を形成した外形が円柱状の弁体と、下辺が緩やかに上方向に傾斜した第１上昇溝、この第１上昇溝の一端部から連続して上方向に延びた第２上昇溝、及びこの第２上昇溝の上端部に連続して前記第１上昇溝の他端部に延びて連続した下降溝とを内周面に有し、前記第１上昇溝、第２上昇溝、下降溝の順に前記凸部が嵌合した状態で移動するように前記弁体の周囲に配置した円筒状のガイド部材とを具備し得る。
【００２３】
この場合、弁体の凸部が第１上昇溝に沿って移動するように、弁体を回転させると、弁体が僅かに上昇するため、洗浄水を少ない流量で排水口から排水することができる。そして、錘部材が下降すると排水弁の凸部が連結具によって第２上昇溝に沿って引き上げられ、排水弁が排水口をさらに開放するため、洗浄水を多い流量で排水口から排水することができる。そして、連結具の引上げ力がなくなると、排水弁の凸部が下降溝に沿って移動し、排水弁が排水口を閉鎖する。このように、この便器洗浄装置は排水弁の上昇及び下降を良好に行うことができる。
【００２４】
前記第２上昇溝は斜めに傾斜して延びており、前記下降溝は鉛直方向に延び得る。この場合、斜めに傾斜して延びた第２上昇溝に沿って排水弁の凸部が上昇するため、排水弁を引き上げる力を小さくすることができる。また、鉛直方向に延びた下降溝に沿って排水弁の凸部が移動するため、排水弁が確実に下降し、排水口を確実に閉鎖することができる。
【００２５】
次に、本発明の便器洗浄装置を具体化した実施例１、２について、図面を参照しつつ説明する。
【００２６】
＜実施例１＞
実施例１の便器洗浄装置は、図１に示すように、水洗式便器に給水路１を介して洗浄水を供給する。便器洗浄装置は、洗浄水を貯留するタンク１０と、排水装置３０とを備えている。タンク１０は、底部１１と、底部１１の周縁から立ち上がった側壁部１３とを有している。タンク１０は底部１１を貫通し、貯留した洗浄水を排水する排水口１５を有している。排水口１５は下流側に給水路１を連通している。タンク１０は底部１１を貫通した連結孔から立ち上がったオーバーフロー管１７を有している。オーバーフロー管１７はタンク１０内の洗浄水の最高水位よりも上方に上端開口１７Ａが位置している。タンク１０は吐水口１９を有する図示しないボールタップによって供給された洗浄水を貯留することができる。タンク１０は水洗式便器の便器本体３の後部上面に載置され固定されている。
【００２７】
排水装置３０は、排水弁４０、錘部材５０、連結具６０、支持具７０、移動装置８０、錘部材５０の上昇位置を規定する上ストッパー９１、及び錘部材５０の下降位置を規定する下ストッパー９２を具備している。
【００２８】
排水弁４０は親弁４１と子弁４５とから構成されている。親弁４１はタンク１０の排水口１５の全体を塞ぐ大きさに形成されたフラッパー弁である。親弁４１はタンク１０の底部１１の上面に排水口１５に隣接して設けた軸部４１Ａに回動自在に軸支されている。親弁４１は下面に円環状のシール面４２を形成している。このシール面４２はタンク１０の排水口１５の上端に当接する。親弁４１は排水口１５よりも開口面積が小さい貫通孔４３が形成されている。子弁４５はこの貫通孔４３を開閉することができるフラッパー弁である。子弁４３は親弁４１の上面に貫通孔４３に隣接して設けた軸部４５Ａに回動自在に軸支されている。子弁４５は下面に円環状のシール面４６を形成している。このシール面４６は親弁４１の貫通孔４３の周縁部の上面に当接する。子弁４５は上面に子弁４５を引き上げる引上げ具４７である玉鎖が連結している。この玉鎖（引上げ具４７）は上端を洗浄ハンドル４８の引上げレバー４８Ａの先端部に連結している。親弁４１は軸部４１Ａの反対側の上面に連結具６０である玉鎖の一方の端部が連結している。
【００２９】
錘部材５０は、底面部５１と、底面部５１の周縁から立ち上がった側面部５３とを有している。底面部５１は小孔５１Ａが貫設されている。錘部材５０は側面部５３の上端が上方に開放した上部開口５５を形成している。錘部材５０は連結具６０である玉鎖の他方の端部が連結している。
【００３０】
支持具７０は円盤状の滑車で形成されている。この支持具７０は玉鎖（連結具６０）の両端を両側に垂下させており、玉鎖（連結具６０）の一方の端部に連結した親弁４１と、玉鎖（連結具６０）の他方の端部に連結した錘部材５０とを吊下げ状態で支持している。
【００３１】
移動装置８０は、支持具７０を連結したフロート部材８１と、フロート部材８１を収納した容器８３とを有している。フロート部材８１は、鉛直方向に軸心が延びた円柱形状であり、上端面から棒部材８５が上方に延びている。この棒部材８５の上端部に支持具７０である滑車が回転自在に固定されている。フロート部材８１を収納する容器８３は、下孔８７Ａを貫設した円形状の底面部８７と、底面部８７の外周縁から立ち上がり、フロート部材８１の外形状より僅かに大きい円筒状の側面部８９と、底面部８７の下孔８７Ａを開閉するフロート弁８８とを有している。容器８３は上端開口８９Ａからフロート部材８１挿入して収納している。容器８３は、側面部８９がフロート部材８１の上下動をガイドする。容器８３の上端開口８９Ａは下ストッパー９２よりも下方に開口している。フロート弁８８は、容器８３の底面部８７の下方から下孔８７Ａを覆うように形成した円盤状の弁本体８８Ａと、弁本体８８Ａの上面から下孔８７Ａを挿通して、上端が外側に拡がった複数の係止部８８Ｂとを有している。
【００３２】
上ストッパー９１及び下ストッパー９２はタンク１０の側壁部１３から内側に平行に延びた平板状の凸部によって形成されている。錘部材５０が上昇した際、錘部材５０の側面部５３の上端縁が上ストッパー９１の下面に当接し、錘部材５０がそれより上方に上昇することを阻止し、錘部材５０の上昇位置を規定している。また、錘部材５０が下降した際、錘部材５０の底面部の下面が下ストッパー９２の上面に当接し、錘部材５０がそれより下方に下降することを阻止し、錘部材５０の下降位置を規定する。このように錘部材５０は上ストッパー９１と下ストッパー９２との間を往復移動する。
【００３３】
次に、このような構成を有する便器洗浄装置の便器洗浄動作について説明する。
【００３４】
＜便器洗浄待機状態＞
この便器洗浄装置において、便器洗浄を待機している状態は、図１に示すように、排水弁４０が排水口１５を閉鎖しており、タンク１０内に洗浄水が貯留されている。タンク１０内の洗浄水の水位は最高水位である。また、錘部材５０は、上昇位置でタンク１０内に貯留した洗浄水内に水没し、洗浄水を貯留している。支持具７０及びフロート部材８１はフロート部材８１の浮力によって上昇している。フロート弁８８は、その浮力によって上昇しており、移動装置８０の容器８３の下孔８７Ａを閉鎖している。
【００３５】
＜便器洗浄開始及び洗浄初期段階＞
便器洗浄を開始するには、先ず、図２に示すように、洗浄ハンドル４８を操作して、子弁４５に連結した玉鎖（引上げ具４７）を引き上げる。これによって、子弁４５が上昇し、親弁４１に形成した貫通孔４３を開放する。すると、排水口１５から少ない流量（以下、実施例１において「小流量」という。）の洗浄水が給水路１に流出し、図３に示すように、タンク１０内の洗浄水の水位が徐々に低下する。ここで、小流量とは、給水路１内に流出した際、残留水及び残留空気を良好に押し流すために必要な流量であり、かつその際に騒音が発生しない流量をいう。
【００３６】
このように、排水口１５から洗浄水を排水する初期段階において、錘部材５０が下降せず、小流量の洗浄水を排水口１５から排水し、給水路１内の残留水及び残留空気を押し出すため、この後に多い流量（以下、実施例１において「大流量」という。）の洗浄水が排水口１５から排水しても、給水路１を介して水洗式便器内に吐水される際に生じる騒音を軽減することができる。ここで、大流量とは水洗式便器内の汚物等を良好に排出するために必要な流量をいう。また、タンク１０内の洗浄水の水位が低下するため、親弁４１を下方に押さえ付けている水圧が低下する。さらに、タンク１０内の洗浄水の水位が錘部材５０よりも低下すると玉鎖（連結具６０）にかかる錘部材５０の重量が徐々に増加する。
【００３７】
＜大流量排水段階＞
さらに、タンク１０内の洗浄水の水位が低下して設定水位になると、図４に示すように、洗浄水の水圧による親弁４１を下方に押さえ付けている力が錘部材５０の重量よりも小さくなる。このため、錘部材５０が下降位置に下降し、親弁４１が上昇して排水口１５を開放する。すると、大流量の洗浄水が排水口１５から給水路１に流出する。
【００３８】
このように、この便器洗浄装置は、タンク１０内の洗浄水の水位が設定水位になるまで（初期段階）、小流量の洗浄水を排水口１５から排水し、タンク１０内の洗浄水の水位が設定水位より低下すると大流量の洗浄水を排水口１５から排水する。つまり、この便器洗浄装置は、タンク１０内の洗浄水の水位低下が作用して、排水口１５から排水する洗浄水が小流量から大流量に変化する。このため、初期段階に小流量で排水口から排水する洗浄水量を常に一定にすることができる。このため、その後に大流量で排水口から排水する洗浄水量も常に一定にすることができる。よって、初期段階で小流量の洗浄水で排水口から洗浄水を排水することによって、給水路内の残留水及び残留空気を確実に押し出すことができ、その後に大流量で洗浄水を排水口から洗浄水を排水することによって、便器洗浄を良好に行うことができる。
【００３９】
したがって、実施例１の便器洗浄装置は、静音化を図り、かつ便器洗浄を良好に行うことができる。
【００４０】
＜便器洗浄終了段階＞
大流量の洗浄水が排水口１５から排水されると、タンク１０内の洗浄水の水位がさらに低下する。すると、図５に示すように、移動装置８０の容器８３の下孔を閉鎖していたフロート弁が下方に移動し、下孔が開放され、容器８３内の洗浄水が流出する。これによって、フロート部材８１及び支持具７０が下降する。また、玉鎖（連結具６０）の他方の端部に連結した錘部材５０は下ストッパー９２によって下降位置に停止し、それより下方に下降しない。このため、玉鎖（連結具６０）の一方の端部に連結した親弁４１が下降し、排水口１５を閉鎖する。これによって、給水路１を介して水洗式便器へ洗浄水が供給されなくなり、便器洗浄が終了する。この間、錘部材５０は、下降途中から下降位置において、貯留した洗浄水を小孔５１Ａから流出し、重量が軽くなる。
【００４１】
＜洗浄水貯留段階＞
排水弁４０が排水口１５を閉鎖した状態で、ボールタップの吐水口１９から洗浄水がタンク１０内に供給されると、タンク１０内の洗浄水の水位が上昇する。図６及び図７に示すように、移動装置８０の容器８３の下孔８７Ａはフロート弁８８によって閉鎖されるため、容器８３内に流入する洗浄水のほとんどが容器８３の上端開口８９Ａから流入する。容器８３内に洗浄水が流入し、フロート部材８１が上昇する際には、容器８３の上端開口８９Ａまでタンク１０内の洗浄水の水位が上昇している。このため、タンク１０内に貯留した洗浄水の水圧が排水口１５を閉鎖している排水弁４０を下方に押さえ付ける力が大きくなっている。この状況において、フロート部材８１の上昇と共に支持具７０が上昇すると、玉鎖（連結具６０）の一方の端部に連結した排水弁４０が上昇することなく、玉鎖（連結具６０）の他方の端部に連結した錘部材５０を下降位置から上昇位置に上昇する。
【００４２】
さらに、ボールタップの吐水口１９から洗浄水がタンク１０内に供給されると、タンク１０内の洗浄水の水位が上昇し、図８に示すように、錘部材５０の側面部５３の上端から洗浄水が錘部材５０内に流入する。そして、タンク１０内の洗浄水の水位が最高水位になると、ボールタップの吐水口１９からの洗浄水の供給が停止し、便器洗浄装置は、図１に示す便器洗浄待機状態に復帰する。
【００４３】
＜実施例２＞
実施例２の便器洗浄装置は、図９に示すように、排水装置３０の排水弁１４０の形態が実施例１と相違する。他の点は実施例１と同様であり、同一の構成は同一の符号を付し、詳細な説明を省略する。
【００４４】
この便器洗浄装置において、排水弁１４０は外径が円柱状の弁体１４１と、弁体１４１の周囲に配置した円筒状のガイド部材１４３とを具備している。弁体１４１は外周面の反対面に外側に突出する一対の円柱状の凸部１４１Ａを有している。弁体１４１は下端にシール面１４２を形成している。このシール面１４２はタンク１０の排水口１５に上端に当接する。弁体１４１は上面の中央部から上方に延びた円柱状の操作軸１４５を有している。弁体１４１と操作軸１４５とは同心に形成されている。弁体１４１は連結具６０である玉鎖の一方の端部が連結している。
【００４５】
ガイド部材１４３は、内周面の対向する位置に軸対象に形成された第１上昇溝１５１、第２上昇溝１５２、及び下降溝１５３を有している。第１上昇溝１５１は下辺１５１Ａが他端部から一端部に向けて緩やかに上方向に傾斜している。第２上昇溝１５２は、第１上昇溝１５１の一端部に連続し、第１上昇溝１５１の他端部の上方に向けて上方向に斜めに傾斜して延びている。下降溝１５３は、第２上昇溝１５２の上端部に連続し、鉛直下方に延びており、第１上昇溝１５１の他端部に連続している。第１上昇溝１５１と第２上昇溝１５２との境界部には下方に凹んだ段部１５４を形成している。
【００４６】
また、第２上昇溝１５２の下辺１５２Ａと下降溝１５３の内側辺１５３Ａが交差する部分に軸部１６３を有し、この軸部１６３を中心として両側に延びる第１片１６１と第２辺１６２とを有するストッパー１６０を有している。ストッパー１６０は軸部１６３で屈曲し、第１片１６１が第２辺１６２よりも重く形成されている。そして、ストッパー１６０は、常時、第１片１６１は、第２上昇溝１５２の下辺１５２Ａに沿って配置されており、第２片１６２は下降溝１５３の内側辺１５３Ａから上方に延びた仮想延長線上に配置されている。このストッパー１６０によって、弁体１４１の凸部１４１Ａは、第２上昇溝１５２に沿って、上方から下方に移動することが阻止されている。このため、弁体１４１の凸部１４１Ａは、第１上昇溝１５１、第２上昇溝１５２、下降溝１５３の順にこれら溝１５１、１５２、１５３に嵌合した状態で移動することができる。
【００４７】
次に、このような構成を有する便器洗浄装置の便器洗浄動作について説明する。
【００４８】
＜便器洗浄待機状態＞
この便器洗浄装置において、便器洗浄を待機している状態は、図９に示すように、弁体１４１が排水口１５を閉鎖しており、タンク１０内に洗浄水が貯留されている。タンク１０内の洗浄水の水位は最高水位である。また、錘部材５０は、上昇位置でタンク１０内に貯留した洗浄水内に水没し、洗浄水を貯留している。支持具７０及びフロート部材８１はフロート部材８１の浮力によって上昇している。フロート弁８８は、その浮力によって上昇しており、移動装置８０の容器８３の下孔８７Ａを閉鎖している。排水弁１４０の弁体１４１の凸部１４１Ａは第１上昇溝１５１の他端部側の最も低い部分に位置している。
【００４９】
＜便器洗浄開始及び洗浄初期段階＞
便器洗浄を開始するには、先ず、図１０に示すように、操作軸１４５を上方から見て時計方向に回転し、弁体１４１の凸部１４１Ａが第１上昇溝１５１の他端部から一端部側に第１上昇溝１５１に沿って移動させ、段部１５４に位置させる。これによって、弁体１４１が僅かに上昇し、排水口１５を開放する。すると、排水口１５から少ない流量（以下、実施例２において「小流量」という。）の洗浄水が給水路１に流出し、図１１に示すように、タンク１０内の洗浄水の水位が徐々に低下する。ここで、小流量とは、給水路１内に流出した際、残留水及び残留空気を良好に押し流すために必要な流量であり、かつその際に騒音が発生しない流量をいう。
【００５０】
このように、排水口１５から洗浄水を排水する初期段階において、錘部材５０が下降せず、小流量の洗浄水を排水口１５から排水し、給水路１内の残留水及び残留空気を押し出すため、この後に多い流量（以下、実施例２において「大流量」という。）の洗浄水を排水口１５から排水しても、給水路１を介して水洗式便器内に吐水される際に生じる騒音を軽減することができる。ここで、大流量とは水洗式便器内の汚物等を良好に排出するために必要な流量をいう。また、タンク１０内の洗浄水の水位が低下するため、弁体１４１を下方に押さえ付けている水圧が低下する。さらに、タンク１０内の洗浄水の水位が錘部材５０よりも低下すると玉鎖（連結具６０）にかかる錘部材５０の重量が徐々に増加する。
【００５１】
＜大流量排水段階＞
さらに、タンク１０内の洗浄水の水位が低下して設定水位になると、図１２に示すように、洗浄水の水圧による弁体１４１を下方に押さえ付けている力が錘部材５０の重量よりも小さくなる。このため、錘部材５０が下降位置に下降し、弁体１４１がさらに上昇し、排水口１５を大きく開放する。すると、大流量の洗浄水が排水口１５から給水路１に流出する。
【００５２】
このように、この便器洗浄装置は、タンク１０内の洗浄水の水位が設定水位になるまで（初期段階）、小流量の洗浄水を排水口１５から排水し、タンク１０内の洗浄水の水位が設定水位より低下すると大流量の洗浄水を排水口１５から排水する。つまり、この便器洗浄装置は、タンク１０内の洗浄水の水位低下が作用して、排水口１５から排水する洗浄水が小流量から大流量に変化する。このため、初期段階に小流量で排水口から排水する洗浄水量を常に一定にすることができる。このため、その後に大流量で排水口から排水する洗浄水量も常に一定にすることができる。よって、初期段階で小流量の洗浄水で排水口から洗浄水を排水することによって、給水路内の残留水及び残留空気を確実に押し出すことができ、その後に大流量で洗浄水を排水口から洗浄水を排水することによって、便器洗浄を良好に行うことができる。
【００５３】
したがって、実施例２の便器洗浄装置も、静音化を図り、かつ便器洗浄を良好に行うことができる。
【００５４】
また、弁体１４１の凸部１４１Ａは、第１上昇溝１５１の一端部の段部１５４から第２上昇溝１５２に沿って移動し、第２上昇溝１５２と下降溝１５３との境界部であって最上端部に位置する。第２上昇溝１５２が斜めに傾斜しているため、弁体１４１を引き上げる力を小さくすることができる。また、この移動の際、凸部１４１Ａはストッパーの第２辺に当接する。すると、ストッパーは軸部を中心にして回動し、軸部はストッパーを通りこす。その後、ストッパーが元の位置に戻るため、凸部１４１Ａが第２上昇溝１５２に沿って上方から下方に移動することを阻止している。
【００５５】
＜便器洗浄終了段階＞
大流量の洗浄水が排水口１５から排水されると、タンク１０内の洗浄水の水位がさらに低下する。すると、図１３に示すように、移動装置８０の容器８３の下孔を閉鎖していたフロート弁が下方に移動し、下孔が開放され、容器８３内の洗浄水が流出する。これによって、フロート部材８１及び支持具７０が下降する。また、玉鎖（連結具６０）の他方の端部に連結した錘部材５０は下ストッパー９２によって下降位置に停止し、それより下方に下降しない。このため、玉鎖（連結具６０）の一方の端部に連結した弁体１４１が下降し、排水口１５を閉鎖する。つまり、弁体１４１の凸部１４１Ａは下降溝１５３に沿って下降し、下降溝１５３の下部（第１上昇溝１５１の他端部側の最も低い部分）に位置する。これによって、給水路１を介して水洗式便器へ洗浄水が供給されなくなり、便器洗浄が終了する。この間、錘部材５０は、下降途中から下降位置において、貯留した洗浄水を小孔５１Ａから流出し、重量が軽くなる。
【００５６】
＜洗浄水貯留段階＞
弁体１４１が排水口１５を閉鎖した状態で、ボールタップの吐水口１９から洗浄水がタンク１０内に供給されると、タンク１０内の洗浄水の水位が上昇する。図１４に示すように、移動装置８０の容器８３の下孔８７Ａはフロート弁８８によって閉鎖されるため、容器８３内に流入する洗浄水のほとんどが容器８３の上端開口８９Ａから流入する。容器８３内に洗浄水が流入し、フロート部材８１が上昇する際には、容器８３の上端開口８９Ａまでタンク１０内の洗浄水の水位が上昇している。このため、タンク１０内に貯留した洗浄水の水圧が排水口１５を閉鎖している弁体１４１を下方に押さえ付ける力が大きくなっている。この状況において、フロート部材８１の上昇と共に支持具７０が上昇すると、玉鎖（連結具６０）の一方の端部に連結した弁体１４１が上昇することなく、玉鎖（連結具６０）の他方の端部に連結した錘部材５０を下降位置から上昇位置に上昇する。
【００５７】
さらに、ボールタップの吐水口１９から洗浄水がタンク１０内に供給されると、タンク１０内の洗浄水の水位が上昇し、図１５に示すように、錘部材５０の側面部５３の上端から洗浄水が錘部材５０内に流入する。そして、タンク１０内の洗浄水の水位が最高水位になると、ボールタップの吐水口１９からの洗浄水の供給が停止し、便器洗浄装置は、図９に示す便器洗浄待機状態に復帰する。
【００５８】
本発明は上記記述及び図面によって説明した実施例に限定されるものではなく、例えば次のような実施例も本発明の技術的範囲に含まれる。
（１）実施例１及び２では、錘部材の底面部に小孔を設け、側面部の上端が上部開口を形成したが、側面部の下部に小孔を形成したり、錘部材の上方を覆う上面部を有する容器にし、上部に上部開口を設けたりしてもよい。
（２）実施例１及び２では、錘部材を底面部と側面部とを有する容器状に形成したが、洗浄水を吸排水することができる吸収体等であってもよい。
（３）実施例１及び２では、支持具が上下動したが、上下動しなくてもよい。
（４）実施例１及び２では、支持具をフロート部材で上下動させたが、他の手段で上下動させてもよい。
（５）実施例１及び２では、上ストッパーを具備していたが、具備しなくてもよい。
（６）実施例１及び２では、下ストッパーを具備していたが、具備しなくてもよい。
（７）実施例１では子弁を洗浄ハンドルを操作して引き上げたが、モーター等を利用して自動的に引き上げてもよい。
（８）実施例２のガイド部材の第１上昇溝、第２上昇溝、下降溝は、図１６に示すように、第２上昇溝２５２を鉛直方向に伸ばし、下降溝２５３を斜めに傾斜して延ばしてもよい。図１６において、実施例２と同一の構成は同一の符号を付す。
（９）実施例２の排水弁の弁体は、図１６に示すように、下面が傾斜していてもよい。この場合、弁体２４１の下面にシール面２４２を形成し、傾斜した排水口２１５の上端に当接させる。
【符号の説明】
【００５９】
１…給水路
１０…タンク
１５…排水口
３０、１３０…排水装置
４０、１４０…排水弁
５０…錘部材
５１…底面部
５１Ａ…小孔
５３…側面部
５５…上部開口
６０…連結具（玉鎖）
７０…支持具（滑車）
８０…移動装置
８１…フロート部材
８３…容器
８７…底面部
８７Ａ…下孔
８８…フロート弁
８９…側面部
９２…下ストッパー
１４１…弁体
１４１Ａ…凸部
１４２…シール面
１４３…ガイド部材
１５１…第１上昇溝
１５２…第２上昇溝
１５３…下降溝
【図１】
2014066120.tif 000003
【図２】
2014066120.tif 000004
【図３】
2014066120.tif 000005
【図４】
2014066120.tif 000006
【図５】
2014066120.tif 000007
【図６】
2014066120.tif 000008
【図７】
2014066120.tif 000009
【図８】
2014066120.tif 000010
【図９】
2014066120.tif 000011
【図１０】
2014066120.tif 000012
【図１１】
2014066120.tif 000013
【図１２】
2014066120.tif 000014
【図１３】
2014066120.tif 000015
【図１４】
2014066120.tif 000016
【図１５】
2014066120.tif 000017
【図１６】
2014066120.tif 000018